(57)【要約】　　　（修正有）【課題】屋外の温度、気圧、湿度、二酸化炭素、ＣＯ２、紫外線、マイナスイオンなどのセンサーで得たデータを屋内にある機器に安定した送信を行うことができる。【解決手段】屋内側の窓ガラスに接した機器と屋外側の窓ガラスに接した機器は、透明で軟質弾力性合成樹脂製の吸盤によって、それぞれ窓ガラスに機器を吸着させることがでる。屋内と屋外を電力供給の為の光を屋内側の機器からガラスを透過させ、屋外側の窓ガラスに面した機器に内蔵させた太陽電池パネルで電力を供給させる。【選択図】　　図１
0003097346.tif 000002
【実用新案登録請求の範囲】
【請求項１】
屋内の窓ガラスに接した機器から光を窓ガラスへ透過させ、屋外の窓ガラスに接した機器内部にある太陽電池パネルに光を照射させることで、屋外側の窓ガラスに接した機器へ電力を供給することができる。
【請求項２】
屋内側の窓ガラスに接した機器と屋外側の窓ガラスに接した機器を吸盤状の透明なシリコーン樹脂などの軟質弾力性合成樹脂製でつくることにより、窓ガラスに機器を吸着させることで、屋内と屋外を電力供給の為の光を透過させることができる。
【請求項３】
屋外側に接した機器の中には請求項１によって得られる電力によって、温度、気圧、湿度、二酸化炭素、ＣＯ２、紫外線、マイナスイオンなどのセンサーを機能させると同時にそれによって得られたデータを内側面に接した受信機に送信することができる。
【考案の詳細な説明】
【０００１】
【考案の属する技術分野】
本考案はガラス窓を有する構造体、特に建築物、自動車、列車、水族館などに適用される計測装置に適用する。
【０００２】
【従来の技術】
最も一般的な屋外の窓ガラスに面した場所で使用する機器の電力は、窓に穴を空けたり、あるいは窓以外の壁を介して電線を導けない時は太陽光を使った太陽電池、風の力を使った風力といった自然の力を利用するか、バッテリーによる電力の供給が一般的である。また、電力を電磁波に変換して屋外の機器に送信する方法もある。
【０００３】
【考案が解決しようとする課題】
本考案は屋外側の窓ガラスに機器を設置し屋外の気圧、気温、湿度、二酸化炭素、ＣＯ２、紫外線、マイナスイオンなどを計測し、屋内のガラス面に接した端末機器にそのデータを送ることができる。また、それらの情報端末からをインターネットを介してサービスステーションやプロバイダーにて分析、解析することによって天気を予報したりより詳細な各地域の天気を予報することができる。
【０００４】
【考案が解決するための手段】
屋外への窓ガラスに機器を簡便に取りつけるために、電力およびデータ送信のためのハーネスを省くことが可能となる。そのためには窓ガラスの内側からの光照射によって常に屋外に接した機器の電力は屋内側の機器から窓ガラスを通して容易に太陽電池を働かせる方法が可能となる。
【０００５】
【考案の実施の形態】
以下、本考案の実施形態を図面によって説明する。
図１は実施形態を示す斜視図で、図２は本考案の側面図である。
【０００６】
図１に示すように、吸盤Ａは屋内側の窓ガラスに吸着させ、吸盤Ｂは屋外側の窓ガラスに吸着させる。２つの吸盤ＡおよびＢはガラスを介して互いに重なるように吸着させる。これによって吸盤Ａの中心部にある光源から発した光が吸盤Ｂ側の太陽電池パネルに無駄なく当たり、各種センサー、データ送信機に必要な電力を供給することができる。また、吸盤を透明にすることでより光をより効率的に太陽電池パネルに当てることができる。
【０００７】
吸盤Ａに組込まれている光源はＡＣアダプターから電力を供給させることで安定した光を供給することができる。また、光源の数は一つに限らず複数でもかまわない。
【０００８】
吸盤Ｂに組み込まれている送信機から受信したデータを吸盤Ａに組込まれているデータ送受信機が受信し各情報端末へ送信される。
【０００９】
吸盤Ｂに組込まれている太陽電池パネルは長方形、正方形に限らず、真円、楕円でもよい。また、太陽電池パネルの数は一つに限らず複数でもよい。
【００１０】
吸盤Ｂに組込まれている各種センサーは、屋外の温度、気圧、湿度、二酸化炭素、ＣＯ２、紫外線、マイナスイオンなどを計測するものである。
【００１１】
吸盤Ｂに組込まれているデータ送信機は，屋内側にある吸盤Ａに組込まれているデータ送受信機に送るものである。
【考案の効果】
屋内側の機器からはＡＣ電源、各種バッテリ電源、光ファイバーなどにより、常に一定の外側の機器の太陽電池へ起電のための光を供給することが可能である。
【図面の簡単な説明】
【図１】本考案の実施形態を示す斜視図。
【図２】本考案の実施形態を示す側面図。
【図１】
0003097346.tif 000003
【図２】
0003097346.tif 000004
【手続補正書】
【提出日】平成15年4月14日(2003.4.14)
【手続補正２】
【補正対象書類名】明細書
【補正対象項目名】全文
【補正方法】変更
【補正の内容】
【考案の詳細な説明】
【実用新案登録請求の範囲】
【請求項１】屋内の窓ガラスに接した機器に光源を設け、屋外の窓ガラスに接した機器の内部にこの光源からの光の照射を受ける太陽電池パネルを設けたことを特徴とする屋内から屋外の窓ガラスに接した機器への電力供給装置。
【請求項２】屋内側の窓ガラスに接した機器と屋外側の窓ガラスに接した機器を吸盤状の透明なシリコーン樹脂などの軟質弾力性合成樹脂でつくり、窓ガラスに吸着させことを特徴とする請求項１に記載の屋内から屋外の窓ガラスに接した機器への電力供給装置。
【請求項３】屋外側に接した機器の中には太陽電池パネルによって得られる電力によって作動する温度、気圧、湿度、二酸化炭素、ＣＯ２、紫外線、マイナスイオンなどのセンサーと送信機を設け、このセンサーによって得られたデータを窓ガラスの内側面に接した機器に設けた受信機に送信することを特徴とする請求項１または２に記載の屋内から屋外の窓ガラスに接した機器への電力供給装置。
【考案の詳細な説明】
【０００１】
【考案の属する技術分野】
本考案はガラス窓を有する構造体、特に建築物、自動車、列車、水族館などの窓ガラスの屋外側に接した機器へ電力を供給するための電力供給装置に関する。
【０００２】
【従来の技術】
屋外の窓ガラスに面した場所で使用する機器へ電力を供給する方法としては、窓に電線の穴を空けたり、あるいは窓以外の壁を介して電線を導けない時は太陽光を使った太陽電池、風の力を使った風力といった自然の力を利用するか、バッテリーによる電力の供給する方法が一般的である。また、電力を電磁波に変換して屋外の機器に送信する方法もある。
【０００３】
【考案が解決しようとする課題】
屋外側の窓ガラスに、屋外の気圧、気温、湿度、二酸化炭素、ＣＯ２、紫外線、マイナスイオンなどを計測するセンサーを備えた機器を設置し、そのセンサーのデータを屋外のガラス面に接した機器に設けたデータ送受信機へ送ろうとする場合、これらの機器を簡便に取り付けできることが望ましい。これらの情報をインターネットを介してサービスステーションやプロバイダーに提供し、そこで分析、解析することによって天気を予報したりより詳細な各地域の天気を予報することができるようになる。
【０００４】
【課題を解決するための手段】
本考案は、窓ガラスの屋内側に接した機器に光源を設け、その光源から窓ガラスの屋外側に接した機器の内部の太陽電池パネルへ光を照射するもので、太陽電池を作動させて屋外側の機器に電力を発生させることができる。これらの機器を吸盤状の透明なシリコーン樹脂などの軟質弾性合成樹脂でつくることにより取り付けが簡便になり、窓ガラスの屋内側と屋外側の機器間を電線で結ぶ必要がなくなる。屋外側の窓ガラスに接した機器には、太陽電池で作動するセンサーと送信機を設け、その送信機で屋内側の機器に設けたデータ送受信機に送信する構成とすることができる。
【０００５】
【考案の実施の形態】
以下、本考案の実施形態を図面によって説明する。
図１は実施形態を示す斜視図で、図２は本考案の実施形態の側面図である。
【０００６】
図面は窓ガラスに接する機器を透明な吸盤で構成した例を示し、光源を設けた吸盤Ａは屋外側の窓ガラスに吸着させ、太陽電池パネルを設けた吸盤Ｂは屋外側の窓ガラスに吸着させる。２つの吸盤ＡおよびＢは窓ガラスを介して互いに重なるように吸着させる。これによって吸盤Ａの中心部にある光源から発した光が吸盤Ｂ側の太陽電池パネルに無駄なく当たり、太陽電池パネルから吸盤Ａの中に設けた各種センサー、データ送信機に必要な電力を供給することができる。また、吸盤を透明にすることで光をより効率的に太陽電池パネルに当てることができる。
【０００７】
吸盤Ａに組込まれている光源はＡＣアダプターから電力を供給することで安定した光を太陽電池パネルに照射することができる。また、光源の数は一つに限らず複数でもかまわない。
【０００８】
吸盤Ｂに組み込まれている送信機から受信したデータを吸盤Ａに組込まれているデータ送受信機が受信し各情報端末へ送信される。
【０００９】
吸盤Ｂに組込まれている太陽電池パネルは長方形、正方形に限らず、真円、楕円でもよい。また、太陽電池パネルの数は一つに限らず複数でもよい。
【００１０】
吸盤Ｂに組込まれている各種センサーは、屋外の温度、気圧、湿度、二酸化炭素、ＣＯ２、紫外線、マイナスイオンなどを計測するものである。
【００１１】
吸盤Ｂに組込まれているデータ送信機は、屋内側にある吸盤Ａに組込まれているデータ送受信機に送るものである。
【考案の効果】
本考案は以上のような構成を有するので、屋内側の機器の光源をＡＣ電源、各種バッテリ電源などにより発光させ、屋外側の機器の太陽電池へ起電のための一定の光を供給することができ、機器を透明な吸盤で構成することで簡便に取り付け可能になり屋外側の機器に設けたセンサーと送信機を作動させることができる。
【図面の簡単な説明】
【図１】本考案の実施形態を示す斜視図。
【図２】本考案の実施形態を示す側面図。